(57)【要約】      （修正有）【課題】旅行者が使い残した交通系ＩＣカードや通貨（小銭）を、電子マネーやギフト券に交換できる多用途な通貨両替システムを提供する。【解決手段】システムサーバと、複数の通貨両替機と、各国の通貨の交換レートを配信するレートサーバと、複数の電子マネーを管理する電子マネーサーバと、複数の公共交通機関が発行した交通系ＩＣカードを管理する交通系ＩＣカードサーバと、が公衆通信回線網で相互に通信可能に接続された通貨両替システム１において、通貨両替機は、通貨両替機に投入された交通系ＩＣカードや通貨を、レートサーバから入手した交換レートに基づいて、利用者が所望する電子マネーやギフト券に交換する。【選択図】図１
2020087304.tif 000002
【特許請求の範囲】
【請求項１】
システムサーバと、
複数の通貨両替機と、
各国の通貨の交換レートを配信するレートサーバと、
複数の電子マネーを管理する電子マネーサーバと、
複数の公共交通機関が発行した交通系ＩＣカードを管理する交通系ＩＣカードサーバと、
が公衆通信回線網で相互に通信可能に接続された通貨両替システムにおいて、
前記システムサーバは、
前記通貨両替機による前記交通系ＩＣカードの発行手段と、
前記通貨両替機による前記交通系ＩＣカードの残高や通貨を、前記レートサーバから入手した交換レートに基づいて、利用者が所望する電子マネーやギフト券に交換する電子マネー交換手段と、
を備えたことを特徴とする通貨両替システム。
【請求項２】
前記システムサーバは、
前記通貨両替機に投入された通貨を、利用者が所望する団体に寄付する寄付手段を備えたことを特徴とする請求項１に記載の通貨両替システム。
【請求項３】
前記システムサーバは、
予め登録されている利用者が前記通貨両替機に投入した通貨の金額を蓄積して記憶し、所定期間毎に予め登録されている利用者の中から当籤者を決定し、当該当籤者に所定の金額を付与する籤引手段を備えたことを特徴とする請求項１又は請求項２に記載の通貨両替システム。
【発明の詳細な説明】
【技術分野】
【０００１】
本発明は、通貨両替システムに関し、詳しくは、海外旅行で使い残した交通系ＩＣカードの残高や通貨を帰国後に自国で使用可能な電子マネーやクーポンに両替可能な通貨両替システムに関する。
【背景技術】
【０００２】
従来、海外旅行等においては、旅行者は自国の通貨を予め旅行先の通貨（所謂、外貨）に専用の両替所（例えば、銀行）において両替して旅行先で使用している。この場合、残った外貨は自国の通貨に再度両替所において両替する。ところが、外貨の両替ができるところは限られており、ある一定以下の金額（所謂、小銭）の場合は、そのまま持ち帰って放置されるケースが多い。
【０００３】
また、近年では、キャッシュレスで買い物、飲食等に使える電子マネー（ＩＣチップを内蔵した専用のカードや電子マネーの機能を有する携帯端末等）が広く普及しており、国や地域で普及率は異なるが、特に中国（中華人民共和国）における普及率は高い。これに対して、日本では現金での買い物、飲食等が一般的ではある。しかしながら、世界的には、電子マネーの普及率の向上は顕著であり、この電子マネーをうまく利用することが望まれていた。
【０００４】
また、日本では、交通系の電子マネーである交通系ＩＣカードの普及率が高く、この交通系ＩＣカードを用いることで、異なる公共交通機関（例えば、ＪＲや私鉄等の１０社）において相互利用サービスが促進されており。例えば、東日本旅客鉄道株式会社（ＪＲ東日本）が発行するＳｕｉｃａ（登録商標）を入手しておけば、首都圏においてＪＲや私鉄の乗車に使用できるので、日本における旅行者の移動の利便性が高い。
【０００５】
上述した状況において、海外旅行で使い残した通貨（紙幣や硬貨）を、外国旅行者が利用する空港や港に設置された専用端末に投入するだけで、その場ですぐに利用者が所望する電子マネーやギフト券等に交換が可能なポケットチェンジが開示されている（非特許文献１を参照）。
【先行技術文献】
【非特許文献】
【０００６】
【非特許文献１】株式会社ポケットチェンジ、「ポケットチェンジ」、[平成３０年１０月２９日検索]、インターネット＜https://www.pocket-change.jp/ja/about/＞
【発明の概要】
【発明が解決しようとする課題】
【０００７】
しかしながら、上述した非特許文献１のポケットチェンジは、日本人旅行者の余った外貨や訪日外国人の余った日本円を利用者が所望する電子マネーやギフト券等に交換が可能なため便利である。しかしながら、交通系ＩＣカードの発行や交通系ＩＣカードに残った残高やデポジットを利用者が所望する電子マネーやギフト券等に交換が可能な機能は有していない。このため、交通系ＩＣカードを利用しようとする旅行者は、交通系ＩＣカードの購入先に赴いて、交通系ＩＣカードの発行や交通系ＩＣカードの残高（デポジットを含む）を清算する手続きを行わなければならない。
【０００８】
そこで、本発明は、外国旅行者が交通系ＩＣカードを購入可能であり、なおかつ、外国旅行者が使い残した交通系ＩＣカードの残金（デポジットも含む）や通貨（小銭）を、外国旅行者が所望する電子マネーやギフト券に交換できる、多用途な機能を有した通貨両替機を有する通貨両替システムを提供することを目的とする。
【課題を解決するための手段】
【０００９】
本発明は、システムサーバと、複数の通貨両替機と、各国の通貨の交換レートを配信するレートサーバと、複数の電子マネーを管理する電子マネーサーバと、複数の公共交通機関が発行した交通系ＩＣカードを管理する交通系ＩＣカードサーバと、が公衆通信回線網で相互に通信可能に接続された通貨両替システムにおいて、前記システムサーバは、前記通貨両替機による前記交通系ＩＣカードの発行手段と、前記通貨両替機による前記交通系ＩＣカードの残高や通貨を、前記レートサーバから入手した交換レートに基づいて、利用者が所望する電子マネーやギフト券に交換する電子マネー交換手段と、を備えたことを特徴とする通貨両替システムとした。
【００１０】
また、前記システムサーバは、前記通貨両替機に投入された通貨を、利用者が所望する団体に寄付する寄付手段を備えたことを特徴とする。
【００１１】
また、前記システムサーバは、予め登録されている利用者が前記通貨両替機に投入した通貨の金額を蓄積して記憶し、所定期間毎に予め登録されている利用者の中から当籤者を決定し、当該当籤者に所定の金額を付与する籤引手段を備えたことを特徴とする。
【発明の効果】
【００１２】
本発明によれば、システムサーバと、複数の通貨両替機と、各国の通貨の交換レートを配信するレートサーバと、複数の電子マネーを管理する電子マネーサーバと、複数の公共交通機関が発行した交通系ＩＣカードを管理する交通系ＩＣカードサーバと、が公衆通信回線網で相互に通信可能に接続された通貨両替システムにおいて、システムサーバは、通貨両替機による交通系ＩＣカードの発行手段と、通貨両替機による交通系ＩＣカードの残高や通貨を、レートサーバから入手した交換レートに基づいて、利用者が所望する電子マネーやギフト券に交換する電子マネー交換手段を備えている。本発明の通貨両替システムによれば、旅行者が交通系ＩＣカードを容易に購入でき、さらに、交通系ＩＣカードの残高や旅行先で使い残した通貨を、利用者が所望する電子マネーやギフト券に交換が可能なため、外国旅行において使用した交通系ＩＣカードや使い残した通貨（小銭）を有効に清算することができる。
【００１３】
ここで、交通系ＩＣカードとは、日本でいえば東日本旅客鉄道株式会社（ＪＲ東日本）の公共交通機関が発行するＳｕｉｃａ（登録商標）等であり、特に日本においては交通系ＩＣカードの相互利用が促進されているため、日本に来た旅行者等は、この交通系ＩＣカードの発行手段や清算手段を備えた通貨両替システムを利用することで、日本における旅行時の移動の利便性の向上を図ることができる。また、通貨両替システムと業務提携した公共交通機関の交通系ＩＣカードの購入や入金（チャージ）を複数の通貨両替機で行うことができるようにすることで、旅行者に対する利便性が高く、さらに、交通系ＩＣカードの利用の促進を図ることができる。
【００１４】
また、通貨両替システムで交換可能な電子マネーとは、例えば、ＰａｙＰａｌ（登録商標）、Ａｌｉｐａｙ（登録商標）、ＷｅＣｈａｔｐａｙ（登録商標）であり、ギフト券としては、Ａｍａｚｏｎ（登録商標）等が好適な対象となる。
【００１５】
また、システムサーバは、通貨両替機に投入された通貨を、利用者が所望する団体に寄付する寄付手段を備えている。このため、利用者が使用する電子マネー等の登録が本システムにされてなかった場合、寄付手段により利用者は希望する団体（例えば、ユニセフ等の国際支援団体、自然災害における復興支援団体等）に、外国旅行において使い残した通貨（小銭）を寄付することができる。これにより、外国旅行において使い残した通貨（小銭）を有効に活用して、社会貢献活動に参加することができる。
【００１６】
また、システムサーバは、予め登録されている利用者が通貨両替機に投入して通貨の金額を蓄積して記憶し、所定期間毎に予め登録されている利用者の中から当籤者を決定し、該当籤者に所定の金額を付与する籤引手段を備えている。このため、予め登録されている利用者が通貨両替機に投入した通貨の金額を蓄積して記憶し、所定期間毎に当籤者を決定し、該当籤者に所定の金額を付与する籤引手段に参加することができる。この籤引手段は、所謂宝くじの形態とし、利用者は通貨両替機に通貨を入金した際に、通貨両替機の表示装置（液晶表示装置等）に表示される選択画面から籤引手段を選択する。
【００１７】
籤引手段は多様な籤引態様（例えば、当籤金額が小さく当籤する人数が多い、又は、当籤金額は大きいが当籤する人数が少ない等）を備えており、どの籤引手段に参加するかは利用者が選択する。そして、籤引手段への参加を希望した利用者が通貨両替機に投入した通貨の金額は、システムサーバに蓄積されて記憶（所謂、プール）され、所定期間（例えば、３カ月、６カ月）毎に抽籤が実行され当籤者が決定される。この当籤者等は、システムサーバが運用するホームページ、新聞雑誌の記事等で公表され当籤者に告知される。
【００１８】
この当籤者の決定は、例えば、利用者が籤引手段へ参加した際に発行される抽籤番号により決定される。この利用者への抽籤番号の発行は、利用者が籤引手段への参加を決定し、利用者は通貨両替機に通貨を入金した際に、通貨両替機から抽籤番号と金額（所謂、掛け金）が印字されたレシート等の発行することにより行われる。
【００１９】
これにより、外国旅行において使い残した通貨（小銭）を利用して、籤引に参加することができ、当籤した場合は高額な当籤金を獲得できるので、本実施形態の通貨両替システムへの利用者の増加を期待することができる。
【図面の簡単な説明】
【００２０】
【図１】本実施形態の通貨両替システムの構成を示す図である。
【図２】本実施形態の通貨両替システムのシステムサーバの電気的構成を説明するブロック図である。
【図３】本実施形態の通貨両替システムの通貨両替機の外観を示す正面図である。
【図４】本実施形態の通貨両替システムの通貨両替機の電気的構成を説明するブロック図である。
【図５】本実施形態の通貨両替システムのシステムサーバにおける各種処理のフローチャートである。
【図６】本実施形態の通貨両替システムのシステムサーバにおける各種処理のフローチャートである。
【図７】本実施形態の通貨両替システムのシステムサーバにおける各種処理のフローチャートである。
【図８】本実施形態の通貨両替システムのシステムサーバにおける各種処理のフローチャートである。
【図９】本実施形態の通貨両替システムのシステムサーバにおける各種処理のフローチャートである。
【発明を実施するための形態】
【００２１】
この発明の要旨は、システムサーバと、複数の通貨両替機と、各国の通貨の交換レートを配信するレートサーバと、複数の電子マネーを管理する電子マネーサーバと、複数の公共交通機関が発行した交通系ＩＣカードを管理する交通系ＩＣカードサーバと、が公衆通信回線網で相互に通信可能に接続された通貨両替システムにおいて、システムサーバは、通貨両替機による交通系ＩＣカードの発行手段と、通貨両替機による交通系ＩＣカードの残高や通貨を、レートサーバから入手した交換レートに基づいて、利用者が所望する電子マネーやギフト券に交換する電子マネー交換手段を備えた通貨両替システムである。
【００２２】
以下、本発明の一実施形態を、図面を参照して詳説する。図１は、本実施形態の通貨両替システムの構成を示す図である。図２は、本実施形態の通貨両替システムの本部サーバの電気的構成を説明するブロック図である。図３は、本実施形態の通貨両替システムの通貨両替機の外観を示す正面図である。図４は、本実施形態の通貨両替システムの通貨両替機の電気的構成を説明するブロック図である。図５〜９は、本実施形態の通貨両替システムのシステムサーバにおける各種処理のフローチャートである。
【００２３】
［通貨両替システムの構成］
以下、本実施形態における通貨両替システムの構成の概要を、図１を参照して説明する。なお、以下の説明では、本システムを運用する事業者が管理するシステムサーバと、本システムを運用する事業者が、外国旅行者が利用する空港や港に設置した複数の通貨両替機とにより通貨両替システムを構成している。
【００２４】
図１に示すように、通貨両替システム１は、本システムを運用する事業者が管理運用するシステムサーバ１０と、本システムを運用する事業者が空港や港に設置した複数の通貨両替機２０とにより構成されている。さらに、システムサーバ１０は、通貨の交換レートを管理するレートサーバ３０、本システムと事業提携している複数の電子マネー会社が管理する電子マネーサーバ４０、複数の公共交通機関が発行する交通系ＩＣカードを管理する交通系ＩＣカードサーバ６０と、公衆通信回線網５０を介してそれぞれ相互に通信可能に接続されている。
【００２５】
システムサーバ１０、レートサーバ３０、電子マネーサーバ４０及び交通系ＩＣカードサーバ６０としては、周知のコンピュータが好適に用いられる。なお、周知のコンピュータとしては、据え置き型のサーバ等が好適に用いられるが、公衆通信回線網５０を介して相互に通信可能な機能を備えたものであればよい。なお、公衆通信回線網５０は、周知のインターネット回線、携帯電話通信回線、電話回線、通信衛星回線等である。
【００２６】
システムサーバ１０は、通貨両替機２０において利用者が選択した各種サービス（交通系ＩＣカードの発行・清算、電子マネー交換、ギフト券交換、寄付、籤引）を実行するための各種手段（詳細は後述するが、交通系ＩＣカードの発行処理や清算処理、電子マネー交換処理、寄付処理、籤引登録処理等）を有する。つまり、システムサーバ１０は、通貨両替機２０から受信した各種サービスに応じた処理を実行し、その結果を通貨両替機２０に送信する。
【００２７】
通貨両替機２０は、本システムのシステムサーバ１０と共同して、本システムで実行される様々なサービス（通貨の両替、交通系ＩＣカードの発行や清算等）を実行するために、本システムの事業者が独自に開発した装置である。詳細は後述するが、図３に示すように、金属製の箱型の筐体の前面２０ａに、利用者とのマンマシンインターフェスを行うタッチパネルの機能を備えた液晶表示装置２１、交換する通貨の投入口（硬貨投入口２２や紙幣投入口２３等）、電子マネー挿入口２４、交通系ＩＣカード挿入口２５、様々なサービスの結果をレシート等に印字して発行するレシート印字装置２６等を備えている。また、通貨両替機２０には、通貨（硬化や紙幣）を収納する通貨保管庫２７、発行前の交通系ＩＣカードや清算後の交通系ＩＣカードを保管する交通系ＩＣカード保管庫２８、通貨両替機２０が有する各種機能（システムサーバ１０との通信機能、各種サービスに応じた処理を実行する処理機能等）を実行する通貨両替機制御部２９等が内蔵されている。
【００２８】
レートサーバ３０は、各国で流通する通貨（例えば、円、ドル、元、ユーロ等）の最新の交換レートを管理するコンピュータであり、システムサーバ１０は、レートサーバ３０から最新の交換レートを入手して、利用者が所持する通貨を所望の通貨に交換する。
【００２９】
電子マネーサーバ４０は、本システムと事業提携している複数の電子マネー会社が管理するサーバである。すなわち、本実施形態においては、事業提携する複数の電子マネー会社の数が多いほど、利用客に対する利便性が向上することになる。
【００３０】
交通系ＩＣカードサーバ６０は、本システムと事業提携している複数の公共交通機関が発行した交通系ＩＣカードを管理するサーバである。特に日本においては交通系ＩＣカードの相互利用が促進されているため、日本に来た旅行者等は、公共交通機関が発行した交通系ＩＣカードを利用することで、日本における旅行時の移動の利便性を向上させることができる。このため、本システムの最大の特徴として、この利便性の高い交通系ＩＣカードの利用の促進を図るために、詳細は後述するが、交通系ＩＣカードの発行や交通系ＩＣカードの残額や保証金（デポジット）を清算（電子マネーへの交換、ギフト券への交換、寄付、籤引等）する機能を備えている。
【００３１】
［システムサーバ１０の構成］
以下、図２を参照して、本実施形態の通貨両替システム１におけるシステムサーバ１０の電気的構成を説明する。システムサーバ１０は、記憶部１１、入出力制御部１２、制御部１３、外部通信Ｉ／Ｆ（ＩｎｔｅｒＦａｃｅ）制御部１４等から構成されている。
【００３２】
記憶部１１は、ＨＤＤ（Ｈａｒｄ  Ｄｉｓｋ  Ｄｒｉｖｅ）やフラッシュメモリ等の大容量記憶装置により構成されている。本実施形態においては、国別の通貨の交換レートや後述の籤引登録処理において、利用者が提供した金額を累積して保留金額が、記憶部１１の所定の領域に記憶される。
【００３３】
入出力制御部１２は、システムサーバ１０に接続されている図示しない液晶表示装置や、キーボード／マウス等の外部入出力装置との各種データの入出力を制御する。
【００３４】
制御部１３は、図示しないＣＰＵ（中央演算装置）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリ等で構成されている。また、この制御部１３のＣＰＵは、ＲＯＭ又は記憶部１１に予め記憶されている各種プログラムを実行することにより、後述の各種手段（後述の交通系ＩＣカード清算処理、電子マネー交換処理、寄付処理、籤引登録処理等）が実行される。
【００３５】
外部通信Ｉ／Ｆ制御部１４は、外部の公衆通信回線網５０と接続され、制御部１３の指示に基づいて、通貨両替システム１における複数の通貨両替機２０、レートサーバ３０、複数の電子マネーサーバ４０、交通系ＩＣカードサーバ６０との通信を制御する。
【００３６】
［通貨両替機２０の構成］
以下、図３を参照して、本実施形態の通貨両替システム１における通貨両替機２０の構成を説明する。図３に示すように、通貨両替機２０は金属製の箱型の筐体を有し、この筐体の前面２０ａの上部中央部に液晶表示装置２１が設けられている。この液晶表示装置２１は、利用者による操作部としてのタッチパネルの機能を有しており、利用者が液晶表示装置２１を操作することにより、通貨両替システム１における各種サービス（交通系ＩＣカードの発行・清算、電子マネー交換、ギフト券交換、寄付、籤引等）を選択する。通貨両替機２０において利用者が選択した各種サービスは、システムサーバ１０において実行され、その結果が通貨両替機２０の液晶表示装置２１において表示される。
【００３７】
本実施形態における液晶表示装置２１は、タッチパネルの機能を活用して利用者とのマンマシンインターフェスを行うものである。具体的には、利用者は液晶表示装置２１に表示される各種メニュー画面（図示せず）から、所望するサービスを指や専用のタッチペン等で選択することで、通貨両替システム１における各種サービス（交通系ＩＣカードの発行・清算、電子マネー交換、ギフト券交換、寄付、籤引等）が実行される。また、本実施形態の通貨両替機２０の利用者は、主に外国人旅行者が想定されるため、液晶表示装置２１に表示される各種メニュー画面は、英語、スペイン語、中国語、韓国語、ロシア語等の外国語で表示され、この表示する言語も利用者が任意に選択できるようにしている。
【００３８】
通貨両替機２０の前面２０ａの液晶表示装置２１の下部には、電子マネーやギフト券に交換する通貨の投入口である硬貨投入口２２と紙幣投入口２３とが設けられている。この硬貨投入口２２と紙幣投入口２３は、投入された硬貨や紙幣の真贋を検知する真贋判定機能を備えたものである。また、硬貨投入口２２及び紙幣投入口２３は、利用者が交通系ＩＣカードの購入を所望する場合には、購入（チャージも含む）に必要な金額の通貨の投入口として機能する。
【００３９】
硬貨投入口２２及び紙幣投入口２３の下部には、電子マネー挿入口２４と交通系ＩＣカード挿入口２５とが設けられている。電子マネー挿入口２４は、利用者が使い残した交通系ＩＣカードの残高や通貨を、利用者が所望する電子マネーに交換する場合に、利用者が交換（入金）を所望する電子マネーを挿入するためのものである。交通系ＩＣカード挿入口２５は、利用者が生産を希望する交通系ＩＣカードを挿入するためのものである。また、利用者が購入を希望した場合に発行する交通系ＩＣカードの排出口としても機能する。
【００４０】
電子マネー挿入口２４及び交通系ＩＣカード挿入口２５の下部には、レシート印字装置２６が設けられている。レシート印字装置２６は、通貨両替システム１における各種サービス（交通系ＩＣカードの発行・清算、電子マネー交換、ギフト券交換、寄付、籤引等）の結果をレシート等に印字して利用者に発行するためのものである。
【００４１】
通貨両替機２０の内部には、通貨保管庫２７、交通系ＩＣカード保管庫２８及び通貨両替機制御部２９が収容されている。通貨保管庫２７は、通貨の投入口である硬貨投入口２２及び紙幣投入口２３に投入された硬貨や紙幣を金種別に区別して収納するための保管庫である。交通系ＩＣカード保管庫２８は、発行前の交通系ＩＣカードや清算後の交通系ＩＣカードを収容する保管庫である。通貨両替機制御部２９は、通貨両替機２０で実行される通貨両替システム１における各種サービスを実行するために、各種処理（システムサーバ１０との通信、各種サービスに応じたプログラムの処理等）を実行する通貨両替機２０の制御装置である。
【００４２】
［通貨両替機２０の通貨両替機制御部２９の電気的構成］
以下、図４を参照して、本実施形態の通貨両替システム１における通貨両替機２０の通貨両替機制御部２９の電気的構成を説明する。通貨両替機制御部２９は、記憶部２９１、入出力制御部２９２、制御部２９３、外部通信Ｉ／Ｆ制御部２９４等から構成されている。
【００４３】
記憶部２９１は、ＨＤＤ（Ｈａｒｄ  Ｄｉｓｋ  Ｄｒｉｖｅ）やフラッシュメモリ等の大容量記憶装置により構成されている。この記憶部２９１は、通貨両替システム１における各種サービス（交通系ＩＣカードの発行・清算、電子マネー交換、ギフト券交換、寄付、籤引）を実行する場合の各種データの一時記憶領域として機能するものである。
【００４４】
入出力制御部２９２は、通貨両替機２０が備えている各種外部入出力装置（図３に示す液晶表示装置２１、硬貨投入口２２、紙幣投入口２３、電子マネー挿入口２４、交通系ＩＣカード挿入口２５、レシート印字装置２６と通貨両替機制御部２９との各種データの入出力を制御する。
【００４５】
制御部２９３は、図示しないＣＰＵ（中央演算装置）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリ等で構成されている。また、この制御部２９３のＣＰＵは、ＲＯＭ又は記憶部１１に予め記憶されている各種プログラムを実行することにより、通貨両替システム１における各種サービス（交通系ＩＣカードの発行・清算、電子マネー交換、ギフト券交換、寄付、籤引）が実行される。
【００４６】
外部通信Ｉ／Ｆ制御部２９４は、外部の公衆通信回線網５０と接続され、制御部２９３の指示に基づいて、通貨両替システム１におけるシステムサーバ１０との通信を制御する。なお、通貨両替機制御部２９としては、上述した専用機器ではなく、例えば、各種外部入出力装置との通信を制御する入出力制御部２９２やシステムサーバ１０との通信を制御する外部通信Ｉ／Ｆ制御部２９４等の機能を備えたパーソナルコンピュータ等を用いることもできる。
【００４７】
［交通系ＩＣカード発行処理］
以下、図５を参照して、本実施形態の通貨両替システム１における交通系ＩＣカード発行処理を説明する。この交通系ＩＣカード発行処理は上述した通貨両替機２０の液晶表示装置２１において利用者が当該サービスを選択したことを契機として、システムサーバ１０の制御部１３において実行される処理である。また、交通系ＩＣカード発行処理は、本実施形態における交通系ＩＣカード発行手段として機能する。また、交通系ＩＣカード発行処理は、外国人旅行者が旅行先における交通手段に利便性の向上のために、交通系ＩＣカードの利用を所望したときに実行される処理である。
【００４８】
図５に示すように、交通系ＩＣカード発行処理を実行する制御部１３は、利用者が通貨両替機２０で選択した交通系ＩＣカードの発行要求を受信し、記憶部１１の所定の領域に記憶する（ステップＳ１０）。通貨両替機２０から受信した交通系ＩＣカードの発行要求には、利用者の氏名・年齢・性別・国籍・住所・連絡先等の個人情報が含まれている。また、通貨両替機２０において入金された交通系ＩＣカードの発行（購入）に費用な保証金（デポジット）やチャージ金額等の情報も含まれている。このように、交通系ＩＣカードの発行要求を記憶部１１の所定の領域に蓄積記憶することで、例えば、交通系ＩＣカードを所望する利用者の個人情報から国籍、年齢、性別等の傾向を算出することで、提携する交通系ＩＣカードを発行する事業者の経営戦略等に役立てることができる。
【００４９】
なお、本実施形態においては、例えば、利用者が通貨両替機２０の液晶表示装置２１において入力する個人情報は、通常の交通系ＩＣカードの発行に必要な個人情報よりも簡潔にすることができる。例えば、氏名・年齢・性別・国籍等の簡単な情報で構成することより、利用者（外国人旅行者）の個人情報の入力の手間を必要最小限に抑えることができ、交通系ＩＣカードの発行の促進を図ることができる。
【００５０】
制御部１３は、通貨両替機２０から受信した交通系ＩＣカードの発行要求を交通系ＩＣカードサーバ６０に送信する。（ステップＳ１１）。そして、制御部１３は、交通系ＩＣカードサーバ６０からの交通系ＩＣカードの登録（つまり、発行）が許可されたか否かを受信（ステップＳ１２）し、登録が許可された判別（ステップＳ１２：Ｙｅｓ）した場合はステップＳ１３へ処理を移す。一方、登録が許可されなかったと判別（ステップＳ１２：Ｎｏ）した場合は、ステップＳ１４へ処理を移す。
【００５１】
制御部１３は、ステップＳ１３において通貨両替機２０に対して交通系ＩＣカードの発行を送信する。この処理が終了すると交通系ＩＣカード発行処理における一連の処理が終了する。ここで通貨両替機２０に送信された交通系ＩＣカードの発行は、チャージされた金額と一緒に通貨両替機２０の液晶表示装置２１に表示されるとともに、通貨両替機２０が備えているレシート印字装置２６に印字されて出力されて、利用者がレシートを確認する。
【００５２】
制御部１３は、ステップＳ１４において通貨両替機２０に対して交通系ＩＣカードの発行不可を送信する。この処理が終了すると交通系ＩＣカード発行処理における一連の処理が終了する。ここで通貨両替機２０に送信された交通系ＩＣカードの発行不可は、通貨両替機２０の液晶表示装置２１に表示されるとともに、通貨両替機２０が備えているレシート印字装置２６に印字されて出力される。また、通貨両替機２０において利用者が入金した保証金やチャージされた金額は、利用者に払い戻されることになる。
【００５３】
上記交通系ＩＣカード発行処理（交通系ＩＣカード発行手段）によれば、外国旅行者が利用する空港や港に設置された通貨両替機２０を介して、本実施形態の通貨両替システム１を利用することで、交通系ＩＣカードを簡単入手し、旅行先での交通手段の利便性の向上を図ることができる。また、本実施形態においては、交通系ＩＣカードは無条件で発行されるわけではなく、利用者の個人情報に基づいて、過去に交通系ＩＣカードを利用した旅行者に瑕疵（例えば、チャージ金額の不正等）があった場合は、交通系ＩＣカードが発行されない場合もある。
【００５４】
［交通系ＩＣカード清算処理］
以下、図６を参照して、本実施形態の通貨両替システム１における交通系ＩＣカード清算処理を説明する。なお、交通系ＩＣカード清算処理は上述した通貨両替機２０の液晶表示装置２１において利用者が当該サービスを選択したことを契機として、システムサーバ１０の制御部１３において実行される処理である。また、交通系ＩＣカード清算処理は、本実施形態における電子マネー交換手段として機能する。また、交通系ＩＣカード清算処理は、旅行先において旅行者が交通手段に利便性の向上のために、交通系ＩＣカードを利用した場合に、この交通系ＩＣカードに残った残高や保証金（デポジット）の清算（電子マネーへの交換やギフト券との交換）を所望したときに実行される処理である。
【００５５】
図６に示すように、交通系ＩＣカード清算処理を実行するシステムサーバ１０の制御部１３（以下、単に制御部１３という）は、利用者が通貨両替機２０の交通系ＩＣカード挿入口２５に挿入した交通系ＩＣカードに残った残高や保証金（以下、単に清算金額ともいう）を受信し、記憶部１１の所定の領域に記憶する（ステップＳ２０）。なお、この処理においては、利用者が通貨両替機２０の電子マネー挿入口２４に挿入した交換（所謂、チャージ）を所望する電子マネーの種類（電子マネー会社）やギフト券の種類、交換先の電子マネーで使用する通貨等も併せて受信する。また、利用者が利用する電子マネー会社に登録しているＩＤ等も併せて受信する。
【００５６】
制御部１３は、レートサーバ３０から各国で流通する通貨（例えば、円、ドル、元、ユーロ等）の最新の交換レートを取得する（ステップＳ２１）。そして、清算金額を利用者が所望する国の通貨にレート換算し、換算した金額を通貨両替機２０に送信する（ステップＳ２２）。ここで通貨両替機２０に送信された金額は、清算金額と一緒に通貨両替機２０の液晶表示装置２１に表示されることになる。なお、この交通系ＩＣカード清算処理においては、レート換算した金額から通貨両替システム１の使用料として、一定割合（例えば、デポジット金額の５０％）が交換手数料としてレート換算した清算金額から割り引かれる。
【００５７】
制御部１３は、通貨両替機２０からの清算処理を実行するか否かを受信（ステップＳ２３）し、清算処理を実行すると判別（ステップＳ２３：Ｙｅｓ）した場合はステップＳ２４へ処理を移す。一方、清算処理を実行しないと判別（ステップＳ４３：Ｎｏ）した場合は、本処理を終了する。
【００５８】
制御部１３は、利用者が清算を所望する交通系ＩＣカードサーバ６０に、交通系ＩＣカードの清算を送信する（ステップＳ２４）。そして、制御部１３は、交通系ＩＣカードサーバ６０からの清算完了の報告を待つ（ステップＳ２５）。制御部１３は、清算完了を受信したと判別（ステップＳ２５：Ｙｅｓ）した場合はステップＳ２６へ処理を移す。一方、制御部１３は、清算完了を受信していないと判別（ステップＳ２５：Ｎｏ）した場合はこの処理を繰り返してチャージ完了の報告を待つ。
【００５９】
制御部１３は、利用者が所望する電子マネー会社の電子マネーサーバ４０へのレート換算した清算金額を送信する（ステップＳ２６）。すなわち、利用者が所持する電子マネーへのレート換算した清算金額のチャージを要求する。そして、制御部１３は、電子マネーサーバ４０からのチャージ完了を待つ（ステップＳ２７）。制御部１３は、チャージ完了を受信したと判別（ステップＳ２７：Ｙｅｓ）した場合はステップＳ２８へ処理を移す。一方、制御部１３は、チャージ完了を受信していないと判別（ステップＳ２７：Ｎｏ）した場合はこの処理を繰り返してチャージ完了の報告を待つ。
【００６０】
また、このステップＳ２６において、利用者が清算金額をギフト券との交換を所望した場合は、制御部１３は、利用者が所望するギフト券発行会社（例えば、Ａｍａｚｏｎ等）のサーバに、清算金額とギフト券との交換を送信し、ギフト券発行会社のサーバからの交換完了を上記ステップＳ２７でまつ。
【００６１】
制御部１３は、通貨両替機２０に対して電子マネーへ交換（チャージ）又はギフト券のとの交換が完了したことを送信する（ステップＳ２８）。ここで通貨両替機２０に送信されたチャージ完了は、チャージされた金額と一緒に通貨両替機２０の液晶表示装置２１に表示されるとともに、通貨両替機２０が備えているレシート印字装置２６に印字されて出力される。そして、利用者がレシートを確認することで、交通系ＩＣカード清算処理における一連の処理が終了する。また、ギフト券との交換の場合は、通貨両替機２０が備えているレシート印字装置により所定のフォーマットでギフト券が印字されて出力されることになる。
【００６２】
上記交通系ＩＣカード清算処理（電子マネー交換手段）によれば、旅行者が旅行先で使い残した交通系ＩＣカードの残高を利用者が所望する電子マネー（又は、ギフト券）に交換が可能なため、外国旅行において、現地で流通している交通系ＩＣカードを利用した場合でも、使い残した残高や保証金を有効に活用することが可能となる。
【００６３】
また、本実施形態における通貨両替システム１では、通貨両替システム１と業務提携した公共交通機関の交通系ＩＣカードの購入や入金（チャージ）を複数の通貨両替機２０で行うことができるようにしてもいる。また、交通系ＩＣカードを利用する場合は、最低限の個人情報（利用者の住所、氏名、年齢、性別、連絡先等）の記入が必要であるが、外国人旅行者が利用する場合は、この個人情報を最小限に簡略化（例えば、氏名、年齢、性別等）することで、外国人旅行者が気軽に利用できるようにすることが望ましい。また、この場合は、交通系ＩＣカードの不正使用等を防止するために、購入時の保証金（デポジット）を通常より高額に設定することもできる。
【００６４】
［電子マネー交換処理］
以下、図７を参照して、本実施形態の通貨両替システム１における電子マネー交換処理を説明する。なお、電子マネー交換処理は上述した通貨両替機２０の液晶表示装置２１において利用者が当該サービスを選択したことを契機として、システムサーバ１０の制御部１３において実行される処理である。また、電子マネー交換処理は、本実施形態における電子マネー交換手段として機能する。また、電子マネー交換処理は通貨両替機２０において利用者が使い残した通貨（小銭）を入金し、電子マネーへの交換を所望したときに実行される処理である。
【００６５】
図７に示すように、電子マネー交換処理を実行する制御部１３は、利用者が通貨両替機２０の硬貨投入口２２や紙幣投入口２３に入金した入金金額を受信し、記憶部１１の所定の領域に記憶する（ステップＳ３０）。なお、この処理においては、利用者が通貨両替機２０の電子マネー挿入口２４に挿入した交換（チャージ）を所望する電子マネーの種類（電子マネー会社）やこの電子マネーで使用する通貨等も併せて受信する。また、利用者が利用する電子マネー会社に登録しているＩＤ等も併せて受信する。
【００６６】
制御部１３は、レートサーバ３０から各国で流通する通貨（例えば、円、ドル、元、ユーロ等）の最新の交換レートを取得する。（ステップＳ３１）。そして、入金金額を利用者が所望する国の通貨にレート換算し、換算した金額を通貨両替機２０に送信する（ステップＳ３２）。ここで通貨両替機２０に送信された金額は、入金金額と一緒に通貨両替機２０の液晶表示装置２１に表示されることになる。なお、この電子マネー交換処理においては、レート換算した金額から通貨両替システム１の使用料として、一定割合（例えば、１０％）が交換手数料としてレート換算した金額から割り引かれる。
【００６７】
制御部１３は、通貨両替機２０からの電子マネーへの交換を実行するか否かを受信（ステップＳ３３）し、交換を実行すると判別（ステップＳ３３：Ｙｅｓ）した場合はステップＳ３４へ処理を移す。一方、交換を実行しないと判別（ステップＳ３３：Ｎｏ）した場合は、本処理を終了する。
【００６８】
制御部１３は、利用者が所望する電子マネー会社の電子マネーサーバ４０へのレート換算した金額を送信する（ステップＳ３４）。すなわち、利用者が所持する電子マネーへのレート換算した金額のチャージを要求する。そして、制御部１３は、電子マネーサーバ４０からのチャージ完了を待つ（ステップＳ３５）。制御部１３は、チャージ完了を受信したと判別（ステップＳ３５：Ｙｅｓ）した場合はステップＳ３６へ処理を移す。一方、制御部１３は、チャージ完了を受信していないと判別（ステップＳ３５：Ｎｏ）した場合はこの処理を繰り返してチャージ完了の報告を待つ。
【００６９】
また、上記ステップＳ３４において、利用者が換算した金額をギフト券との交換を所望した場合は、制御部１３は、利用者が所望するギフト券発行会社（例えば、Ａｍａｚｏｎ）のサーバに、換算した金額とギフト券との交換を送信し、ギフト券発行会社のサーバからの交換完了を上記ステップＳ３５でまつ。
【００７０】
制御部１３は、通貨両替機２０に対して電子マネーへ交換（チャージ）又はギフト券のとの交換が完了したことを送信する（ステップＳ３６）。ここで通貨両替機２０に送信されたチャージ完了は、チャージされた金額と一緒に通貨両替機２０の液晶表示装置２１に表示されるとともに、通貨両替機２０が備えているレシート印字装置２６に印字されて出力される。そして、利用者がレシートを確認することで、本電子マネー交換処理における一連の処理が終了する。また、ギフト券との交換の場合は、通貨両替機２０が備えているレシート印字装置２６により所定のフォーマットでギフト券が印字されて出力されることになる。
【００７１】
上記電子マネー交換処理（電子マネー交換手段）によれば、旅行者が旅行先で使い残した通貨（日本人旅行者の余った外貨や訪日外国人の余った日本円）を利用者が所望する電子マネーに交換が可能なため、外国旅行において使い残した通貨（小銭）を有効に活用することが可能となる。
【００７２】
［寄付処理］
以下、図８を参照して、本実施形態の通貨両替システム１における寄付処理を説明する。この処理は、上述した通貨両替機２０の液晶表示装置２１において利用者が当該サービスを選択したことを契機として、システムサーバ１０の制御部１３において実行される処理である。また、寄付処理は、本実施形態における寄付手段として機能する。また、寄付処理は通貨両替機２０において利用者が外国旅行において利用した交通系ＩＣカードの残高や保証金、又は、使い残した通貨（小銭）を入金し、利用者が希望する慈善団体（例えば、ユニセフ等の国際支援団体、自然災害における復興支援団体等）に寄付を所望したときに実行される処理である。
【００７３】
図８に示すように、寄付処理を実行する制御部１３は、利用者が通貨両替機２０に入金した入金金額（交通系ＩＣカードの場合や残高と保証金の金額）を受信し、記憶部１１の所定の領域に記憶する（ステップＳ４０）。なお、この処理においては、利用者が寄付を希望する慈善団体の種類等も併せて通貨両替機２０から受信する。
【００７４】
制御部１３は、通貨両替機２０からの慈善団体への寄付を実行するか否かを受信（ステップＳ４１）し、寄付を実行すると判別（ステップＳ４１：Ｙｅｓ）した場合はステップＳ４２へ処理を移す。一方、寄付を実行しないと判別（ステップＳ４１：Ｎｏ）した場合は、本処理を終了する。
【００７５】
制御部１３は、利用者が希望する慈善団体の口座に入金金額を送信する（ステップＳ４２）。そして、制御部１３は、慈善団体へ口座からの振込完了の受信を待つ（ステップＳ４３）し、振込完了を受信したと判別（ステップＳ４３：Ｙｅｓ）した場合はステップＳ４４へ処理を移す。一方、振込完了を受信していないと判別（ステップＳ４３：Ｎｏ）した場合はこの処理を繰り返して振込完了の受信を待つ。
【００７６】
制御部１３は、通貨両替機２０に対して利用者が希望する慈善団体への寄付が完了したことを送信する（ステップＳ４４）。ここで通貨両替機２０に送信された寄付完了は、寄付金額と一緒に通貨両替機２０の液晶表示装置２１に表示されるとともに、通貨両替機２０が備えているレシート印字装置２６に印字されて出力される。そして、利用者がレシートを確認することで、本寄付処理における一連の処理が終了する。
【００７７】
また、上記寄付処理（寄付手段）寄付手段により、利用者は希望する団体（例えば、ユニセフ等の国際支援団体、自然在外における復興支援団体等）に、外国旅行において使い残した通貨（小銭）を寄付することができ、外国旅行において使い残した通貨（小銭）を有効に活用して、社会貢献活動に参加することを可能としている。なお、この寄付処理においても、寄付する金額から通貨両替システム１の使用料として、一定割合（例えば、１０％）が寄付手数料（電子振込手数料等）として利用者が寄付する金額から割り引かれる。
【００７８】
［籤引登録処理］
以下、図９を参照して、本実施形態の通貨両替システム１における籤引登録処理を説明する。なお、籤引登録処理は上述した通貨両替機２０の液晶表示装置２１において利用者が当該サービスを選択したことを契機として、システムサーバ１０の制御部１３において実行される処理である。また、籤引登録処理は、本実施形態における籤引手段として機能する。また、籤引登録処理は通貨両替機２０において利用者が外国旅行において利用した交通系ＩＣカードの残高や保証金、又は、使い残した通貨（小銭）を入金し、実施形態における籤引への参加を所望したときに実行される処理である。
【００７９】
図９に示すように、籤引登録処理を実行する制御部１３は、利用者が通貨両替機２０に入金した入金金額（交通系ＩＣカードの場合や残高と保証金の金額）を受信し、記憶部１１の所定の領域に記憶する（ステップＳ５０）。なお、この処理においては、利用者が所望する籤引の種類や当籤金額として受けとる通貨等も併せて通貨両替機２０から受信する。
【００８０】
制御部１３は、レートサーバ３０から各国で流通する通貨（例えば、円、ドル、元、ユーロ等）の最新の交換レートを取得する。（ステップＳ５１）。そして、入金金額を利用者が所望する国の通貨にレート換算し、換算した金額を通貨両替機２０に送信する（ステップＳ５２）。ここで通貨両替機２０に送信された金額は、入金金額と一緒に通貨両替機２０の液晶表示装置２１に表示されることになる。
【００８１】
制御部１３は、通貨両替機２０からの籤引に参加するか否かを受信（ステップＳ５３）し、籤引に参加すると判別（ステップＳ５３：Ｙｅｓ）した場合はステップＳ５４へ処理を移す。一方、籤引に参加しないと判別（ステップＳ５３：Ｎｏ）した場合は、本処理を終了する。
【００８２】
制御部１３は、利用者が所望する通貨にレート換算した金額を記憶部１１に記憶する（ステップＳ５４）。すなわち、利用者が籤引に参加する場合は、レート換算した金額を記憶部１１の所定の領域に保留金額（所謂、プール金）として記憶する。そして、制御部１３は、
籤引に参加した利用者ごとに異なる抽籤番号（例えば、８桁の英数字からなる番号）を自動生成する（ステップＳ５５）。
【００８３】
制御部１３は、上記ステップＳ５５で生成した利用者ごとに異なる抽籤番号を通貨両替機２０に送信する（ステップＳ５６）。ここで通貨両替機２０に送信された抽籤番号は、入金金額と一緒に通貨両替機２０の液晶表示装置２１に表示されるとともに、通貨両替機２０のレシート印字装置２６に印字されて出力される。そして、利用者がレシートを確認することで、本籤引登録処理における一連の処理が終了する。
【００８４】
上記籤引登録処理で登録された、利用者から提供された金額と利用者に紐づけられた抽籤番号は、記憶部１１に記憶される。そして、一定期間毎に実行される抽籤手段により当籤者が決定されることになる。なお、利用者によっては、通貨両替機２０に入金した入金金額には当然のことながら差がある。このため、例えば、レート換算した金額が日本円の場合は、１００円毎の入金金額に応じて抽籤番号を付与するようにしてもよい。すなわち、籤引手段に参加する金額の多寡に応じて付与する抽籤番号の数を変更することで、公平な籤引を成立させることが可能となる。
【００８５】
このように、予め登録した利用者が通貨両替機に投入した通貨の金額を蓄積して記憶し、所定期間毎に当籤者を決定し、該当籤者に所定の金額を付与する籤引手段を実現することができる。この籤引手段は、所謂宝くじの形態と同様であり、利用者は通貨両替機２０に通貨を入金した際に、通貨両替機２０の液晶表示装置２１に表示される選択画面から籤引手段への参加を選択することで、上記籤引登録処理において登録されて抽籤番号が発行されることで、本実施形態における割引手段に参加することになる。
【００８６】
籤引手段は多様な籤引態様（例えば、当籤金額が小さく当籤する人数が多い、又は、当籤金額は大きいが当籤する人数が少ない等）を備えることができる。この場合上記籤引登録処理において、利用者がどの籤引態様に参加するかを選択できるようにしておく。そして、籤引手段への参加を希望した利用者が通貨両替機に投入した通貨の金額は、システムサーバ１０の記憶部１１に蓄積されて記憶（所謂、プール）され、所定期間（例えば、３カ月、６カ月）毎に抽籤が実行され当籤者が決定される。この当籤者等は、システムサーバが運用するホームページ、新聞雑誌の記事等で公表され当籤者に告知される。
【００８７】
この当籤者の決定は、例えば、利用者が籤引手段へ参加した際に発行される抽籤番号により決定される。この利用者への抽籤番号の発行は、上記籤引登録処理において、利用者が通貨両替機２０の硬貨投入口２２や紙幣投入口２３に通貨を投入し、籤引手段への参加（籤引態様も含む）を決定した後に、通貨両替機２０から抽籤番号と金額（所謂、掛け金）が印字されたレシート等の発行することにより行われる。
【００８８】
これにより、外国旅行において使い残した通貨（小銭）を利用して、籤引に参加することができ、当籤した場合は高額な当籤金を獲得できる可能性があるので、本実施形態の通貨両替システム１への利用者の増加を期待することができる。
【００８９】
また、この籤引手段においては、プールされた金額を全額当籤金額に充てるのではなく、例えば、プールされた金額から所定割合(例えば、２０％)を、本システム売り上げに充当することができる。これにより、本システムを運用する事業者は収益の向上を図ることができる。また、プールされた金額から所定割合(例えば、２０％)を慈善団体に寄付するようにしてもよい。これにより、本実施形態の籤引手段を社会貢献活動への貢献の一環とすることもできる。
【００９０】
以上、本発明に係る実施形態を説明したが、本発明の具体的な構成は上記実施形態に限定されるものではなく、発明の要旨を逸脱しない範囲の設計変更等があっても本発明に含まれる。
【符号の説明】
【００９１】
１    通貨両替システム
１０  システムサーバ
２０  通貨両替機
３０  レートサーバ
４０  電子マネーサーバ
５０  公衆通信回線網
６０  交通系ＩＣカードサーバ
【図１】
2020087304.tif 000003
【図２】
2020087304.tif 000004
【図３】
2020087304.tif 000005
【図４】
2020087304.tif 000006
【図５】
2020087304.tif 000007
【図６】
2020087304.tif 000008
【図７】
2020087304.tif 000009
【図８】
2020087304.tif 000010
【図９】
2020087304.tif 000011